【手続補正書】
【提出日】平成16年7月21日(2004.7.21)
【手続補正１】
【補正対象書類名】明細書
【補正対象項目名】特許請求の範囲
【補正方法】変更
【補正の内容】
【特許請求の範囲】
【請求項１】
遊技盤に遊技領域が設けられ、遊技領域に設けられている入賞領域への遊技球の入賞に応じて払出装置からあらかじめ決められた個数の遊技球が賞球として払い出される遊技機であって、
遊技の進行を制御する遊技制御用マイクロコンピュータと、
前記入賞領域に入賞があったことを検知し、検知信号を出力可能な入賞検知手段と、
遊技球を払い出す球払出装置と、
前記球払出装置を駆動して賞球払出を行う賞球制御用マイクロコンピュータと、
遊技機に供給される電源の電圧低下を監視して、所定量の電圧低下を検出したときに検出信号を出力する電源電圧監視手段と、
遊技機に対する電力供給が停止しても、電力供給可能なバックアップ用電源とを備え、
前記賞球制御用マイクロコンピュータは、制御の進行に応じて記憶内容が変化する揮発性記憶手段を備え、揮発性記憶手段の少なくとも一部は遊技機に対する電力供給が停止しても前記バックアップ用電源によって記憶内容を保持可能であり、
前記電源電圧監視手段からの検出信号は、前記遊技制御用マイクロコンピュータのマスク可能割込端子に入力され、
前記遊技制御用マイクロコンピュータは、
前記入賞検知手段からの検知信号に応じて払い出す賞球数を特定可能な賞球コマンドを前記賞球制御用マイクロコンピュータに対して送出し、
前記電源電圧監視手段からの検出信号が入力されたことにもとづく割込処理によって所定の遊技制御電源断時処理を行い、
前記賞球制御用マイクロコンピュータに対して賞球コマンド送出中には前記電源電圧監視手段からの検出信号が入力されたことにもとづく前記割込処理の実行を待たせるための設定を行い、
前記電源電圧監視手段からの検出信号は、前記賞球制御用マイクロコンピュータに入力され、
前記賞球制御用マイクロコンピュータは、
前記遊技制御用マイクロコンピュータからの賞球コマンドを受信するコマンド受信処理を実行し、
前記コマンド受信処理中にはコマンド受信中フラグをセットし、
前記コマンド受信処理により受信された賞球コマンドにもとづいて前記球払出装置を駆動し、
前記電源電圧監視手段からの検出信号が入力されたことにもとづいて所定の賞球制御電源断時処理を行い、
前記賞球制御電源断時処理において、前記コマンド受信中フラグがセットされていれば前記コマンド受信処理を実行するように設定する
ことを特徴とする遊技機。
【請求項２】
球払出装置によって払出が行われたことを検出して検出信号を出力する球払出検出手段を備え、
前記球払出検出手段からの検出信号は、遊技制御用マイクロコンピュータと賞球制御用マイクロコンピュータとに入力され、
前記遊技制御用マイクロコンピュータおよび前記賞球制御用マイクロコンピュータは、それぞれ前記検出信号によって賞球払出数の計数確認を行う
請求項１記載の遊技機。
【請求項３】
賞球制御用マイクロコンピュータは、未払出の賞球総数を記憶する賞球数記憶手段を含む
請求項１または請求項２記載の遊技機。
【請求項４】
賞球数記憶手段は、遊技機に対する電力供給が停止してもバックアップ用電源によって記憶内容を保持可能な揮発性記憶手段に含まれる
請求項３記載の遊技機。
【請求項５】
遊技制御用マイクロコンピュータが有する揮発性記憶手段の少なくとも一部は、遊技機に対する電力供給が停止してもバックアップ用電源によって記憶内容を保持可能であって遊技機の電源が復旧したときに遊技状態を復元するために必要な遊技状態記憶を保持する
請求項１から請求項４のうちのいずれかに記載の遊技機。
【請求項６】
電源電圧監視手段からの検出信号は、賞球制御用マイクロコンピュータの割込端子に入力され、
前記賞球制御用マイクロコンピュータは、前記割込端子へ前記電源電圧監視手段からの検出信号が入力されたことにもとづく割込処理で電源断時処理を実行する
請求項１から請求項５のうちのいずれかに記載の遊技機。
【請求項７】
電源電圧監視手段からの検出信号は、遊技制御用マイクロコンピュータおよび賞球制御用マイクロコンピュータの入力ポートにも入力され、
前記遊技制御用マイクロコンピュータおよび前記賞球制御用マイクロコンピュータは、電源断時処理中に、入力ポートの入力状態を監視することによって電源電圧が回復したか否かを監視し、電源電圧が回復したときに、それぞれ、電源断時処理を開始する前の制御状態に復帰する
請求項６記載の遊技機。
【請求項８】
電源電圧監視手段からの検出信号が入力される入力ポートは、遊技機に設けられているスイッチの出力信号が入力される入力ポート部におけるポートである
請求項７記載の遊技機。
【請求項９】
遊技制御用マイクロコンピュータを搭載した遊技制御基板および賞球制御用マイクロコンピュータを搭載した賞球制御基板とは別個に設けられている電源基板を備え、
バックアップ用電源は、前記電源基板に搭載されている
請求項１から請求項８のうちのいずれかに記載の遊技機。
【請求項１０】
遊技制御用マイクロコンピュータは、遊技制御電源断時処理において、レジスタの内容をバックアップ用電源によって記憶内容を保持可能な揮発性記憶手段に保存した後、電源断時処理を行ったことを示すフラグを前記揮発性記憶手段にセットし、遊技機に対する電力供給が開始されたときに前記フラグがセットされていたら前記揮発性記憶手段に保存されているレジスタの内容をレジスタに復帰させる復帰処理を行い、前記フラグがセットされていなければあらかじめ定められている値をレジスタに設定する初期設定処理を行う
請求項１から請求項９のうちのいずれかに記載の遊技機。
【請求項１１】
遊技制御用マイクロコンピュータは、復帰処理にて、電源断時処理を行ったことを示すフラグのリセット処理を行う
請求項１０記載の遊技機。
【手続補正２】
【補正対象書類名】明細書
【補正対象項目名】００１０
【補正方法】変更
【補正の内容】
【００１０】
【課題を解決するための手段】
本発明による遊技機は、遊技盤に遊技領域が設けられ、遊技領域に設けられている入賞領域への遊技球の入賞に応じて払出装置からあらかじめ決められた個数の遊技球が賞球として払い出される遊技機であって、遊技の進行を制御する遊技制御用マイクロコンピュータと、入賞領域に入賞があったことを検知し、検知信号を出力可能な入賞検知手段と、遊技球を払い出す球払出装置と、球払出装置を駆動して賞球払出を行う賞球制御用マイクロコンピュータと、遊技機に供給される電源の電圧低下を監視して、所定量の電圧低下を検出したときに検出信号を出力する電源電圧監視手段と、遊技機に対する電力供給が停止しても、電力供給可能なバックアップ用電源とを備え、賞球制御用マイクロコンピュータは、制御の進行に応じて記憶内容が変化する揮発性記憶手段を備え、揮発性記憶手段の少なくとも一部は遊技機に対する電力供給が停止してもバックアップ用電源によって記憶内容を保持可能であり、電源電圧監視手段からの検出信号は、遊技制御用マイクロコンピュータのマスク可能割込端子に入力され、遊技制御用マイクロコンピュータが、入賞検知手段からの検知信号に応じて払い出す賞球数を特定可能な賞球コマンドを賞球制御用マイクロコンピュータに対して送出し、電源電圧監視手段からの検出信号が入力されたことにもとづく割込処理によって所定の遊技制御電源断時処理を行い、賞球制御用マイクロコンピュータに対して賞球コマンド送出中には電源電圧監視手段からの検出信号が入力されたことにもとづく割込処理の実行を待たせるための設定を行い、電源電圧監視手段からの検出信号は、賞球制御用マイクロコンピュータに入力され、賞球制御用マイクロコンピュータが、遊技制御用マイクロコンピュータからの賞球コマンドを受信するコマンド受信処理を実行し、コマンド受信処理中にはコマンド受信中フラグをセットし、コマンド受信処理により受信された賞球コマンドにもとづいて球払出装置を駆動し、電源電圧監視手段からの検出信号が入力されたことにもとづいて所定の賞球制御電源断時処理を行い、賞球制御電源断時処理において、コマンド受信中フラグがセットされていればコマンド受信処理を実行するように設定することを特徴とする。
【手続補正３】
【補正対象書類名】明細書
【補正対象項目名】００１１
【補正方法】変更
【補正の内容】
【００１１】
遊技機は、球払出装置によって払出が行われたことを検出して検出信号を出力する球払出検出手段を備え、球払出検出手段からの検出信号が遊技制御用マイクロコンピュータと賞球制御用マイクロコンピュータとに入力され、遊技制御用マイクロコンピュータおよび賞球制御用マイクロコンピュータが、それぞれ検出信号によって賞球払出数の計数確認を行うように構成されていてもよい。
【手続補正４】
【補正対象書類名】明細書
【補正対象項目名】００１２
【補正方法】変更
【補正の内容】
【００１２】
賞球制御用マイクロコンピュータが未払出の賞球総数を記憶する賞球数記憶手段を含むように構成されていてもよい。
【手続補正５】
【補正対象書類名】明細書
【補正対象項目名】００１３
【補正方法】変更
【補正の内容】
【００１３】
賞球数記憶手段は、遊技機に対する電力供給が停止してもバックアップ用電源によって記憶内容を保持可能な揮発性記憶手段に含まれるように構成されていてもよい。
【手続補正６】
【補正対象書類名】明細書
【補正対象項目名】００１４
【補正方法】変更
【補正の内容】
【００１４】
遊技制御用マイクロコンピュータが有する揮発性記憶手段の少なくとも一部は、遊技機に対する電力供給が停止してもバックアップ用電源によって記憶内容を保持可能であって遊技機の電源が復旧したときに遊技状態を復元するために必要な遊技状態記憶を保持するように構成されていてもよい。
【手続補正７】
【補正対象書類名】明細書
【補正対象項目名】００１５
【補正方法】変更
【補正の内容】
【００１５】
電源電圧監視手段からの検出信号は、賞球制御用マイクロコンピュータの割込端子に入力され、賞球制御用マイクロコンピュータが、割込端子へ電源電圧監視手段からの検出信号が入力されたことにもとづく割込処理で電源断時処理を実行するように構成されていてもよい。
【手続補正８】
【補正対象書類名】明細書
【補正対象項目名】００１６
【補正方法】変更
【補正の内容】
【００１６】
電源電圧監視手段からの検出信号は、遊技制御用マイクロコンピュータおよび賞球制御用マイクロコンピュータの入力ポートにも入力され、遊技制御用マイクロコンピュータおよび賞球制御用マイクロコンピュータは、電源断時処理中に、入力ポートの入力状態を監視することによって電源電圧が回復したか否かを監視し、電源電圧が回復したときに、それぞれ、電源断時処理を開始する前の制御状態に復帰するように構成されていてもよい。
【手続補正９】
【補正対象書類名】明細書
【補正対象項目名】００１７
【補正方法】変更
【補正の内容】
【００１７】
電源電圧監視手段からの検出信号が入力される入力ポートは、例えば、遊技機に設けられているスイッチの出力信号が入力される入力ポート部におけるポートである。
【手続補正１０】
【補正対象書類名】明細書
【補正対象項目名】００１８
【補正方法】変更
【補正の内容】
【００１８】
遊技制御用マイクロコンピュータを搭載した遊技制御基板および賞球制御用マイクロコンピュータを搭載した賞球制御基板とは別個に設けられている電源基板を備え、バックアップ用電源は、電源基板に搭載されている構成であってもよい。
【手続補正１１】
【補正対象書類名】明細書
【補正対象項目名】００１９
【補正方法】変更
【補正の内容】
【００１９】
遊技制御用マイクロコンピュータは、遊技制御電源断時処理において、レジスタの内容をバックアップ用電源によって記憶内容を保持可能な揮発性記憶手段に保存した後、電源断時処理を行ったことを示すフラグを揮発性記憶手段にセットし、遊技機に対する電力供給が開始されたときにフラグがセットされていたら揮発性記憶手段に保存されているレジスタの内容をレジスタに復帰させる復帰処理を行い、フラグがセットされていなければあらかじめ定められている値をレジスタに設定する初期設定処理を行うように構成されていてもよい。
【手続補正１２】
【補正対象書類名】明細書
【補正対象項目名】００２０
【補正方法】変更
【補正の内容】
【００２０】
遊技制御用マイクロコンピュータは、復帰処理にて、電源断時処理を行ったことを示すフラグのリセット処理を行うように構成されていてもよい。
【手続補正１３】
【補正対象書類名】明細書
【補正対象項目名】０１７５
【補正方法】変更
【補正の内容】
【０１７５】
【発明の効果】
以上のように、本発明によれば、遊技機を、遊技制御用マイクロコンピュータが、賞球制御用マイクロコンピュータに対して賞球コマンド送出中には電源電圧監視手段の出力信号による割込が発生しても割込処理の実行を待たせるための設定を行い、賞球制御用マイクロコンピュータが、遊技制御用マイクロコンピュータからの賞球コマンド受信処理中にはコマンド受信中フラグをセットし、電源断時処理では、コマンド受信中フラグがセットされていればコマンド受信処理を継続するように構成したので、遊技制御用マイクロコンピュータと賞球制御用マイクロコンピュータとの間でコマンドを常に確実に受け渡しして遊技者に不利益を与えることがないという効果がある。
【手続補正１４】
【補正対象書類名】明細書
【補正対象項目名】０１７６
【補正方法】変更
【補正の内容】
【０１７６】
球払出装置から払出が行われたことを示す検出信号が遊技制御用マイクロコンピュータと賞球制御用マイクロコンピュータとに入力され、遊技制御用マイクロコンピュータおよび賞球制御用マイクロコンピュータが、それぞれ検出信号によって賞球払出数の計数確認を行うように構成されていることから、２つのマイクロコンピュータで賞球払出確認が行われるので、賞球の信頼性を向上させることができる。
【手続補正１５】
【補正対象書類名】明細書
【補正対象項目名】０１７７
【補正方法】変更
【補正の内容】
【０１７７】
賞球制御用マイクロコンピュータが、未払出の賞球総数を記憶する賞球数記憶手段を含むように構成されていることから、賞球制御用マイクロコンピュータにおける揮発性記憶手段の必要量が小さくなって、揮発性記憶手段の容量を抑制することができる。
【手続補正１６】
【補正対象書類名】明細書
【補正対象項目名】０１７８
【補正方法】変更
【補正の内容】
【０１７８】
賞球数記憶手段が、遊技機に対する電力供給が停止してもバックアップ用電源によって記憶内容を保持可能な揮発性記憶手段に含まれることから、バックアップＲＡＭ領域のサイズが小さくなって、バックアップ電源の容量消費を抑制することができる。
【手続補正１７】
【補正対象書類名】明細書
【補正対象項目名】０１７９
【補正方法】変更
【補正の内容】
【０１７９】
遊技制御用マイクロコンピュータが有する揮発性記憶手段の少なくとも一部は、遊技機に対する電力供給が停止してもバックアップ用電源によって記憶内容を保持可能であって遊技機の電源が復旧したときに遊技状態を復元するために必要な遊技状態記憶を保持するように構成されていることから、電源瞬断が繰り返し発生するような状況でも一々電源断時処理とデータ復元処理を行わなくてよく、電源瞬断等が生じても処理効率を落とさず遊技進行に支障をきたすことがないという効果がある。
【手続補正１８】
【補正対象書類名】明細書
【補正対象項目名】０１８０
【補正方法】変更
【補正の内容】
【０１８０】
電源電圧監視手段からの検出信号は、賞球制御用マイクロコンピュータの割込端子に入力され、賞球制御用マイクロコンピュータは、割込端子へ電源電圧監視手段からの検出信号が入力されたことにもとづく割込処理で電源断時処理を実行するように構成されていることから、優先度の高い処理によって、電源断時処理を速やかに開始できる。
【手続補正１９】
【補正対象書類名】明細書
【補正対象項目名】０１８１
【補正方法】変更
【補正の内容】
【０１８１】
電源電圧監視手段からの検出信号は、遊技制御用マイクロコンピュータおよび賞球制御用マイクロコンピュータの入力ポートにも入力され、遊技制御用マイクロコンピュータおよび賞球制御用マイクロコンピュータは、電源断時処理中に、入力ポートの入力状態を監視することによって電源電圧が回復したか否かを監視し、電源電圧が回復したときに、それぞれ、電源断時処理を開始する前の制御状態に復帰するように構成されていることから、電源電圧監視手段の出力を直接監視することによって確実に電源電圧が回復したか否かを監視できる。
【手続補正２０】
【補正対象書類名】明細書
【補正対象項目名】０１８２
【補正方法】変更
【補正の内容】
【０１８２】
電源電圧監視手段からの検出信号が入力される入力ポートが、遊技機に設けられているスイッチの出力信号が入力される入力ポート部におけるポートであることから、入力ポート部の有効活用を図ることができる。
【手続補正２１】
【補正対象書類名】明細書
【補正対象項目名】０１８３
【補正方法】変更
【補正の内容】
【０１８３】
バックアップ用電源が、電源基板に搭載されていることから、各制御基板にバックアップ電源を備える必要はなく、遊技機コストを低減することができる。
【手続補正２２】
【補正対象書類名】明細書
【補正対象項目名】０１８４
【補正方法】変更
【補正の内容】
【０１８４】
遊技制御用マイクロコンピュータが、電源断時処理を行ったことを示すフラグをセットし、遊技機に対する電力供給が開始されたときにそのフラグがセットされていたら揮発性記憶手段に保存されているレジスタの内容をレジスタに復帰させる復帰処理を行い、そのフラグがセットされていなければあらかじめ定められている値をレジスタに設定する初期設定処理を行うように構成されていることから、電源断時処理を行ったことを示すフラグのオンオフに応じてデータ復帰処理を行うか否か判断することができ、保存されていたデータを電源復帰後に確実に活用することができ、遊技者に不利益を与えないようにすることができる効果がある。
【手続補正２３】
【補正対象書類名】明細書
【補正対象項目名】０１８５
【補正方法】変更
【補正の内容】
【０１８５】
遊技制御用マイクロコンピュータが、復帰処理にて、電源断時処理を行ったことを示すフラグのリセット処理を行うことから、電源断時の状態に確実に戻すことができる。